(57)【要約】【課題】光軸方向に移動する交換レンズのレンズ面がコンバージョンレンズのレンズ面に接触することのないようにしたコンバージョンレンズを提供する。【解決手段】レンズ保持筒１２は、固定筒１３の内周面に摺動可能に挿入され、複数のコイルバネ１６によって前方に付勢されている。レンズ保持部１２ｂの前方の端面には、リング状の突条１２ｃが設けられている。第２ズームレンズ群２２４が後退すると、第２ズーム移動枠２０８の後方端面が突条１２ｃと当接するが、第２ズームレンズ群２２４は変倍レンズ群１１には接触しない。さらに第２ズームレンズ群２２４が後退すると、第２ズーム移動枠２０８は、突条１２ｃを介してレンズ保持筒１２を後方に押圧し、コイルバネ１６の付勢力に抗してレンズ保持筒１２を後退させる。このとき、スイッチ突起１２ｄが接点１４ａを押圧してスイッチ１４を閉路させるので、警告音発生装置１５から警告音が発せられる。【選択図】      図２
2004301926.tif 000002
【特許請求の範囲】
【請求項１】
カメラボディと前記カメラボディに装着されるレンズ群との間に装着可能なコンバージョンレンズであって、
レンズと、
前記レンズを保持するレンズ保持筒と、
前記レンズ保持筒を光軸方向に移動可能に嵌合する固定筒と、
前記レンズ保持筒を光の入射側の方向へ付勢する付勢手段とを備え、
前記レンズ保持筒には、前記固定筒の光の入射側に装着された前記レンズ群が前記レンズに接触することを防止する受け部材が設けられ、
前記受け部材が光の入射側の方向から押圧されると、前記レンズ保持筒が前記付勢手段に抗して前記受け部材が押圧された方向に移動することを特徴とするコンバージョンレンズ。
【請求項２】
請求項１に記載のコンバージョンレンズにおいて、
前記受け部材は、突条であることを特徴とするコンバージョンレンズ。
【請求項３】
請求項１または請求項２に記載のコンバージョンレンズにおいて、
前記レンズ群が前記受け部材に接触したこと、もしくは、前記レンズ保持筒が前記付勢手段に抗して移動したことを検出する検出手段と、
前記検出手段が前記レンズ群の接触、もしくは、前記移動したことを検出すると、前記検出したことを報知する報知手段とをさらに備えることを特徴とするコンバージョンレンズ。
【請求項４】
請求項３に記載のコンバージョンレンズにおいて、
前記検出手段は、前記レンズ保持筒が前記付勢手段に抗して移動して、光学性能を維持できなくなったことを検出することを特徴とするコンバージョンレンズ。
【請求項５】
カメラボディと前記カメラボディに装着されるレンズ群との間に装着可能なコンバージョンレンズであって、
レンズと、
前記レンズを保持するレンズ保持筒と、
前記レンズ保持筒を光軸方向に移動可能に嵌合する固定筒と、
前記レンズ保持筒を光の入射側の方向へ付勢する付勢手段と、
前記固定筒の光の入射側に装着された前記レンズ群が前記レンズに接触する恐れがある場合に、これを検出する近接検出手段と、
前記近接検出手段が前記レンズと前記レンズ群との接触する恐れがあることを検出すると、前記検出したことを報知する報知手段とを備えることを特徴とするコンバージョンレンズ。
【発明の詳細な説明】
【０００１】
【発明の属する技術分野】
本発明は、カメラボディと交換レンズとの間に装着されるコンバージョンレンズに関する。
【０００２】
【従来の技術】
レンズ交換式一眼レフカメラのアクセサリとして、コンバージョンレンズが知られている（特許文献１参照）。コンバージョンレンズは、カメラボディと交換レンズとの間に装着されて、交換レンズの焦点距離を変更するものである。
【０００３】
【特許文献１】
特開平９−２８１５７９号公報
【０００４】
【発明が解決しようとする課題】
しかし、ズームレンズのように、焦点距離が可変の交換レンズでは、カメラボディ側に位置するズームレンズ群が光軸方向に移動して、コンバージョンレンズの変倍レンズに接触する恐れがある。
【０００５】
本発明は、光軸方向に移動する交換レンズのレンズ面がコンバージョンレンズのレンズ面に接触することのないようにしたコンバージョンレンズを提供する。
【０００６】
【課題を解決するための手段】
（１）  請求項１の発明によるコンバージョンレンズは、カメラボディとカメラボディに装着されるレンズ群との間に装着可能なコンバージョンレンズであって、レンズと、レンズを保持するレンズ保持筒と、レンズ保持筒を光軸方向に移動可能に嵌合する固定筒と、レンズ保持筒を光の入射側の方向へ付勢する付勢手段とを備え、レンズ保持筒には、固定筒の光の入射側に装着されたレンズ群がレンズに接触することを防止する受け部材が設けられ、受け部材が光の入射側の方向から押圧されると、レンズ保持筒が付勢手段に抗して受け部材が押圧された方向に移動することを特徴とする。
（２）  このコンバージョンレンズでは、受け部材は、突条であることが好ましい。
（３）  レンズ群が受け部材に接触したこと、もしくは、レンズ保持筒が付勢手段に抗して移動したことを検出する検出手段と、検出手段がレンズ群の接触、もしくは、移動したことを検出すると、検出したことを報知する報知手段とをさらに備えることとしてもよい。
（４）  この検出手段は、レンズ保持筒が付勢手段に抗して移動して、光学性能を維持できなくなったことを検出してもよい。
（５）  請求項５の発明によるコンバージョンレンズは、カメラボディとカメラボディに装着されるレンズ群との間に装着可能なコンバージョンレンズであって、レンズと、レンズを保持するレンズ保持筒と、レンズ保持筒を光軸方向に移動可能に嵌合する固定筒と、レンズ保持筒を光の入射側の方向へ付勢する付勢手段と、固定筒の光の入射側に装着されたレンズ群がレンズに接触する恐れがある場合に、これを検出する近接検出手段と、近接検出手段がレンズとレンズ群との接触する恐れがあることを検出すると、検出したことを報知する報知手段とを備えることを特徴とする。
【０００７】
【発明の実施の形態】
図１〜３を参照して、本発明によるコンバージョンレンズの一実施の形態を説明する。なお、本実施の形態では、光軸方向の被写体側を前方、カメラボディ側を後方と規定して説明する。図１は、本発明によるコンバージョンレンズおよびコンバージョンレンズに装着された交換レンズを光軸を通る平面で切った断面図である。コンバージョンレンズ１０は、変倍レンズ群１１と、変倍レンズ群１１を保持するレンズ保持筒１２と、レンズ保持筒１２を光軸方向に摺動可能に保持する固定筒１３とを備えている。
【０００８】
固定筒１３は、円筒状の部材であり、前方の端面には、交換レンズを装着するためのマウント１３ａが設けられている。固定筒１３の後方の端面には、不図示のカメラボディに装着するためのバヨネット１３ｂが設けられている。固定筒１３の内周面には、円周状の突条１３ｃ，１３ｄが設けられており、後述するレンズ保持筒１２の光軸方向の移動を規制する。固定筒１３には、突条１３ｄより後方の内周面に接点１４ａを露出させたスイッチ１４と、接点１４ａの接点片同士が接触してスイッチ１４が閉路されると警告音を発する警告音発生装置１５とが設けられている。
【０００９】
レンズ保持筒１２は、固定筒１３の内周面に摺動可能な摺動部１２ａと、摺動部１２ａの前後に延在する薄肉リング状のレンズ保持部１２ｂとを有する。レンズ保持筒１２は、摺動部１２ａの後方端面と突条１３ｄとの間に挿入された複数のコイルバネ１６によって前方に付勢され、突条１３ｃに摺動部１２ａが当接して係止されている。レンズ保持部１２ｂは、その内周面に変倍レンズ群１１を保持している。レンズ保持部１２ｂの前方の端面には、円環状の突条１２ｃが設けられている。突条１２ｃの前方の端面は、変倍レンズ群１１の端面より前方に突出している。レンズ保持部１２ｂの後方の外周面には、スイッチ突起１２ｄが設けられている。後述するように、スイッチ突起１２ｄは、レンズ保持筒１２が後方へ押圧されて移動されたとき、接点１４ａを押圧して、接点片同士を閉路させる。
【００１０】
コンバージョンレンズ１０に装着された交換レンズ２００は、焦点距離が可変のズームレンズである。図１に示すように、交換レンズ２００は、後方のバヨネット２０３ｂによってコンバージョンレンズのマウント１３ａに装着される。交換レンズ２００は、前方に位置するフォーカスレンズ群２２２と、フォーカスレンズ群２２２の後段に位置する第１ズームレンズ群２２３と、第１ズームレンズ群２２３の後段に位置する第２ズームレンズ群２２４とを備えている。フォーカスレンズ群２２２は、フォーカス筒２０４に保持され、ピントリング２０１の光軸回りの回転によって、光軸方向に移動される。これによりピント合わせが行われる。
【００１１】
第１ズームレンズ群２２３および第２ズームレンズ群２２４は、それぞれ第１ズーム移動枠２０７および第２ズーム移動枠２０８に保持されている。第１ズーム移動枠２０７および第２ズーム移動枠２０８にはそれぞれ第１ズームピン２０９および第２ズームピン２１０が植設されている。第１ズームピン２０９および第２ズームピン２１０はそれぞれカムリング２１１の内周面に設けられた溝部２１１ａおよび２１１ｂに嵌挿されるとともに、固定筒２０３の直線溝２０３ｃに嵌挿されている。カムリング２１１にはカムリングピン２１２が植設されている。カムリングピン２１２は、ズームリング２０２の内面に設けられた凹部と嵌合している。
【００１２】
ズームリング２０２が光軸回りに回動されると、ズームリング２０２の内面の凹部と嵌合しているカムリングピン２１２を介して、カムリング２１１も光軸回りに回動される。カムリング２１１が回動されると、溝部２１１ａおよび２１１ｂは、直線溝２０３ｃに嵌挿されて光軸回りの回動を規制された各ズームピン２０９，２１０を光軸方向に移動させる。これにより、各ズームピン２０９，２１０が植設された各ズーム移動枠２０７，２０８、すなわち各ズームレンズ群２２３，２２４は光軸方向に移動される。
【００１３】
図２は、図１の状態から第２ズームレンズ群２２４が後退した状態を示す断面図である。カムリング２０２が回動されて、第２ズームレンズ群２２４がコンバージョンレンズ１０へ向かって後退していくと、第２ズームレンズ群２２４を保持する第２ズーム移動枠２０８が後方のバヨネット２０３ｂ付近まで後退する。このとき、図２に示すように、第２ズーム移動枠２０８の後方端面が、コンバージョンレンズ１０のレンズ保持筒１２に設けられた突条１２ｃと当接する。突条１２ｃの光軸方向高さは、第２ズーム移動枠２０８の後方端面と突条１２ｃとが当接したときに、第２ズームレンズ群２２４は変倍レンズ群１１と接触しないように設定されている。
【００１４】
図２の状態から、さらにカムリング２０２が回動されて、第２ズームレンズ群２２４が後退すると、図３に示すように、第２ズーム移動枠２０８は、突条１２ｃを介してレンズ保持筒１２を後方に押圧し、コイルバネ１６の付勢力に抗してレンズ保持筒１２を後退させる。図３は、カムリング２０２がその回転制限まで回動された状態における、交換レンズ２００およびコンバージョンレンズ１０の状態を示す断面図である。レンズ保持筒１２が後退すると、レンズ保持部１２ｂの後方の外周面に設けられたスイッチ突起１２ｄが接点１４ａを押圧してスイッチ１４を閉路させるので、警告音発生装置１５から警告音が発せられる。なお、図３に示すように、変倍レンズ群１１が移動し、コンバージョンレンズ１０は光学性能が維持できなくなった位置でスイッチ１４が閉路する。
【００１５】
上述した、本実施の形態のコンバージョンレンズ１０では、次の作用効果を奏する。
（１）  レンズ保持筒１２の前方端面に突条１２ｃを設け、後退してきた交換レンズ２００の第２ズーム移動枠２０８が当接するようにした。これにより、変倍レンズ群１１に第２ズームレンズ群２２４が接触せず、変倍レンズ群１１に傷がつかない。また、突条１２ｃは、後退してきた交換レンズ２００の第２ズーム移動枠２０８に当接するので、突条１２ｃが第２ズームレンズ群２２４を傷付けない。したがって、突条１２ｃと第２ズーム移動枠２０８とが当接しても、後の撮影に悪影響を及ぼすことがない。
（２）  レンズ保持筒１２は、コイルバネ１６によって前方に付勢され、固定筒１３の内周面に保持されている。したがって、突条１２ｃと第２ズーム移動枠２０８とが当接したのち、さらにズームリング２０２が回動されて第２ズームレンズ群２２４が後退しても、交換レンズ２００およびコンバージョンレンズ１０の各部には無理な力が掛からない。これにより、交換レンズ２００およびコンバージョンレンズ１０の故障を防止できる。
（３）  レンズ保持筒１２の後退を検出するスイッチ１４と、スイッチ１４の閉路で警報を発する警報発生装置１５を設けている。これにより、突条１２ｃと第２ズーム移動枠２０８とが当接したことを使用者に報知できるので、ズームリング２０２をそれ以上無理に回動させるような不適切な使用を抑制できる。
（４）  スイッチ１４は、レンズ保持筒１２が後退し、光学性能が維持できなくなったときに閉路されて、警報発生装置１５から警報を発するようにしたので、使用者は、変倍レンズ群１が移動されて光学性能が維持できなくなったことを知ることができる。
【００１６】
上述の説明では、スイッチ１４は、レンズ保持筒１２の後退を検出するようにしていたが、本発明はこれに限定されない。たとえば、スイッチ１４をコンバージョンレンズ１０の前方に配置して、交換レンズ２００の第２ズーム移動枠２０８の近接を検出してもよい。上述の説明では、スイッチ１４は、接点１４ａを有し、機械的にレンズ保持筒１２の後退を検出するようにしていたが、本発明はこれに限定されない。たとえば、発光素子と受光素子の組み合わせによるセンサにて、レンズ保持筒１２の後退に伴う発光素子の光束遮断を検出して、ズームレンズ２００の操作を停止するように警告してもよい。
【００１７】
上述の説明では、交換レンズ２００の焦点距離を調節する第２ズームレンズ群２２４を保持する部材（第２ズーム移動枠２０８）を突条１２ｃに衝突させたが、本発明はこれに限定されない。たとえば、コンバージョンレンズ１０の光学系の構成部材に当接するのは、ピント調整に係るレンズ群の部材であってもよい。上述の説明では、コンバージョンレンズ１０の突条１２ｃは円環状であったが、本発明はこれに限らない。たとえば、円弧状の突条が１箇所以上設けられていればよく、変倍レンズ群１１と第２ズームレンズ群２２４との接触を防止できればよい。また、突条でなくてもよく、突起であってもよい。
【００１８】
上述の説明では、レンズ保持筒１２を前方に付勢する付勢手段としてコイルバネ１６を用いていたが、本発明はこれに限定されない。たとえば、コイルバネの代わりに板バネなど他の形状のバネでもよい。また、バネに限らずゴムなどの弾性体であってもよい。さらに、付勢手段の挿入位置や押圧方法は、図示した位置に限定されず、レンズ保持筒１２が前方に付勢されればよい。
【００１９】
上述の説明では、コンバージョンレンズ１０のレンズ保持筒１２と交換レンズ２００の第２ズーム移動枠２０８とが当接した後に警報音を発するようにしていたが、本発明はこれに限らない。たとえば、上記変形例のように、スイッチ１４をコンバージョンレンズ１０の前方に配置して、交換レンズ２００の第２ズーム移動枠２０８の後退を検出して、レンズ保持筒１２と第２ズーム移動枠２０８の当接前に警報を発するようにすることもできる。また、上述の説明において、警告音発生装置１５の発する警報音は、交換レンズ２００の光学系の構成部材とコンバージョンレンズ１０の光学系の構成部材とが当接したこと、もしくは当接する恐れのあることを知らせる旨の音声であってもよい。さらに、上述した各実施の形態および変形例は、それぞれ組み合わせてもよい。
【００２０】
以上の実施の形態およびその変形例において、たとえば、レンズは変倍レンズ群１１に、付勢手段はコイルバネ１６に、受け部材は突条１２ｃに、報知手段は警報発生装置１５にそれぞれ対応する。また、検出手段は、スイッチ１４と接点１４ａとによって実現される。さらに、本発明の特徴的な機能を損なわない限り、本発明は、上述した実施の形態における機器構成に何ら限定されない。
【００２１】
【発明の効果】
本発明のコンバージョンレンズによれば、コンバージョンレンズの光の入射側に装着されたレンズ群がレンズに接触することを防止する受け部材をレンズ保持筒に設け、付勢手段によってレンズ保持筒を光の入射側の方向へ付勢した。これにより、レンズ群とコンバージョンレンズとのレンズ同士の接触を防止できるので、レンズが傷つかず、後の撮影に悪影響を及ぼすことがない。レンズ保持筒は、付勢手段に抗して受け部材が押圧された方向に移動できるので、レンズ群およびコンバージョンレンズの各部には無理な力が掛からず、故障を防止できる。
【図面の簡単な説明】
【図１】本発明によるコンバージョンレンズおよびコンバージョンレンズに装着された交換レンズを光軸を通る平面で切った断面図である。
【図２】図１の状態から第２ズームレンズ群２２４が後退した状態を示す断面図である。
【図３】カムリング２０２がその回転制限まで回動された状態における、交換レンズ２００およびコンバージョンレンズ１０の状態を示す断面図である。
【符号の説明】
１０  コンバージョンレンズ          １１  変倍レンズ群
１２  レンズ保持筒                  １２ｃ  突条
１２ｄ  スイッチ突起                １３  固定筒
１４  スイッチ                      １４ａ  接点
１５  警告音発生装置                １６  コイルバネ
２００  交換レンズ                  ２０８  第２ズーム移動枠
２２４  第２ズームレンズ群
【図１】
2004301926.tif 000003
【図２】
2004301926.tif 000004
【図３】
2004301926.tif 000005